(57)【要約】【課題】マスカラ等の液体化粧料を十分な量、確実に保持させておくことができる化粧用器具を得る。【解決手段】棒状の部材からなり、一端近傍部分が使用者によって把持される把持部２とされ、他端近傍部分が基材保持部３とされた操作棒１と、基材保持部３の周囲に緊密に存在する環状の線材５ａが、該基材保持部３の長さ方向に沿って互いに間隔を置いて繰り返し配置されてなるコイルばね５とを有する化粧用器具１０において、基材保持部３の少なくとも一部の外周面に溝部３ｂを刻設する。【選択図】図１
2020188894.tif 000002
【特許請求の範囲】
【請求項１】
棒状の部材からなり、一端近傍部分が使用者によって把持される把持部とされ、他端近傍部分が基材保持部とされた操作棒と、
前記基材保持部の周囲に緊密に存在する環状の線材が、該基材保持部の長さ方向に沿って互いに間隔を置いて繰り返し配置されてなる基材と、
を有する化粧用器具であって、
前記基材の内側に有る前記基材保持部の少なくとも一部の外周面に溝部が刻設されている、
ことを特徴とする化粧用器具。 
【請求項２】
前記基材が、前記線材が螺旋状に成形されてなるものである請求項１記載の化粧用器具。
【請求項３】
前記基材がコイルばねである請求項２記載の化粧用器具。
【請求項４】
前記操作棒に、前記コイルばねの一端に当接する当接部が設けられ、
前記コイルばねの他端と向かい合う位置において前記操作棒の少なくとも一部の周囲に、該操作棒に沿って螺進退自在とされ、前記コイルばねを前記当接部に押し付けて圧縮可能な管状部材が配設されている、
請求項３記載の化粧用器具。
【請求項５】
前記基材が、環状に形成された複数の線材が互いに間隔を置いた状態で連結部材により連結されてなるものである請求項１記載の化粧用器具。
【請求項６】
前記溝部が、基材保持部の長さ方向に互いに間を置いて配された複数の溝から構成されている請求項１から５いずれか１項記載の化粧用器具。
【請求項７】
前記溝部が、巻方向が前記線材の巻方向と逆向きである螺旋溝から構成されている請求項６記載の化粧用器具。
【請求項８】
前記溝部が、巻方向が前記線材の巻方向と同じ向きである螺旋溝から構成されている請求項６記載の化粧用器具。
【請求項９】
棒状の部材からなり、一端近傍部分が使用者によって把持される把持部とされ、他端近傍部分が基材保持部とされた操作棒と、
前記基材保持部の周囲を緊密に巻回する状態に配置されたコイルばねと、
を有する化粧用器具であって、
前記操作棒に、前記コイルばねの一端に当接する当接部が設けられ、
前記コイルばねの他端と向かい合う位置において前記操作棒の少なくとも一部の周囲に、該操作棒に沿って螺進退自在とされ、前記コイルばねを前記当接部に押し付けて圧縮可能な管状部材が配設されている、
ことを特徴とする化粧用器具。
【請求項１０】
前記基材保持部が円柱状である請求項１から９いずれか１項記載の化粧用器具。
【発明の詳細な説明】
【技術分野】
【０００１】
本発明はマスカラ液の塗布等のための化粧用器具に関し、より詳しくは、棒状部材の一部に環状の線材が部材長さ方向に繰り返し配置されてなる化粧用器具に関するものである。
【背景技術】
【０００２】
従来、マスカラ液の塗布のために用いられる睫毛用化粧用器具として、例えば特許文献１や２に示されているように、使用者によって把持される棒状部材の先端部にコイルばねを保持してなるものが知られている。この種の化粧用器具は、コイルばねを構成する線材と線材との間にマスカラ液を保持させた後、それらの線材の並び方向が睫毛の並び方向と概略平行になる状態、つまり線材と線材との間に睫毛を位置させる状態として、コイルばねで睫毛を梳くようにして使用される。それにより、線材と線材との間に保持されていたマスカラ液が睫毛に塗布される。
【０００３】
なお、このような化粧用器具は、特許文献１にも示されているように、マスカラ液に限らず、毛染め剤やマニキュア液等、その他の液体化粧料の塗布にも使用され得るものである。さらにこの種の化粧用器具は、特許文献１に示されている通り、コイルばねの部分が櫛歯のように機能するので、マスカラ液は塗布せずに睫毛を梳かすためだけに用いることもできる。
【先行技術文献】
【特許文献】
【０００４】
【特許文献１】特開２０１１−１３６０１７号公報
【特許文献２】特許第６２５４３１７号公報
【発明の概要】
【発明が解決しようとする課題】
【０００５】
以上説明したタイプの睫毛用化粧用器具においては、コイルばねの部分に十分な量の液体化粧料を保持することが難しい、という問題が従来認められていた。この問題に対処するために特許文献１には、棒状部材のコイルばねを巻回保持する部分の断面形状を三角形にする構造や、ばね軸方向から見たコイルばねの巻き形状を楕円形にする構造が提案されている。他方特許文献２では、コイルばねの巻き形状を円形ではなくて複数の屈曲部を有する形状とし、この形状を、ばね軸方向に進むのにつれてばね周方向に所定角度ずつ回転させる構造が提案されている。
【０００６】
しかし特許文献１や２に示されている従来の構造は、液体化粧料保持用のスペースは広く確保されるものの、そのスペースに液体化粧料を確実に保持させておく点で改善の余地が残されている。また上記従来の構造は、保持させておく液体化粧料の量を調節することは不可能であって、この点でも改善の余地が残されている。
【０００７】
本発明は上記の事情に鑑みてなされたものであり、マスカラ液等の液体化粧料を十分な量、確実に保持させておくことができる化粧用器具を提供することを目的とする。さらに本発明は、保持させておく液体化粧料の量を調節できる化粧用器具を提供することを目的とする。
【課題を解決するための手段】
【０００８】
本発明による第１の化粧用器具は、
棒状の部材からなり、一端近傍部分が使用者によって把持される把持部とされ、他端近傍部分が基材保持部とされた操作棒と、
上記基材保持部の周囲に緊密に存在する環状の線材が、該基材保持部の長さ方向に沿って互いに間隔を置いて繰り返し配置されてなる基材と、
を有する化粧用器具において、
基材の内側に有る基材保持部の少なくとも一部の外周面に溝部が刻設されていることを特徴とするものである。
【０００９】
なお、上記の「環状」とは、特に円形に限るものではなく、多角形状も含むものである。また、環状の線材が基材保持部の周囲に「緊密に」存在するとは、基材保持部に接触するか、微小間隙をおいて離れて存在する状態を示すものである。また、環状の線材が「間隔を置いて繰り返し配置され」とは、等間隔で繰り返す場合も、不等間隔で繰り返す場合も含むものとし、さらには、この間隔の両側に配置された線材同士が一部連結されている状態も含むものとする。
【００１０】
上記の基材として具体的には、線材が螺旋状に成形されてなるものや、さらに具体的には例えばコイルばねを適用することができる。
【００１１】
この化粧用器具において、上記基材としてコイルばねが適用される場合は、
操作棒に、コイルばねの一端に当接する当接部が設けられ、
コイルばねの他端と向かい合う位置において操作棒の少なくとも一部の周囲に、該操作棒に沿って螺進退自在とされ、コイルばねを上記当接部に押し付けて圧縮可能な管状部材が配設される、
ことが望ましい。
【００１２】
さらに上記の基材としては、線材が螺旋状に成形されてなるものの他に、環状に形成された複数の線材が互いに間隔を置いた状態で連結部材により連結されてなるものを適用することもできる。
【００１３】
一方、基材保持部の外周面に刻設される溝部は、より具体的には、互いに間を置いて配された複数の溝から構成されることが望ましい。この溝部が「互いに間を置いて配され」とは、等間隔で配される場合も、不等間隔で配される場合も含むものとする。
【００１４】
そのような複数の溝部は、さらに具体的には、環状溝から構成されることが望ましい。この環状溝とは、基材保持部の外周面を一周以上延びる溝も、例えば「Ｃ」字状に一周未満延びる溝も含むものである。
【００１５】
上述の環状溝は、特に線材が螺旋状に成形されてなる基材が用いられる場合においては、巻方向が上記線材の巻方向と逆向きである螺旋溝や、あるいは巻方向が上記線材の巻方向と同じ向きである螺旋溝とされてもよい。この溝部は後述するように、十分な量の液体化粧料を確実に保持する作用を果たすものであるが、液体化粧料の保持量を多く確保する上では、螺旋溝の巻方向が線材の巻方向と逆向きであることがより望ましい。
【００１６】
また、本発明による第２の化粧用器具は、
棒状の部材からなり、一端近傍部分が使用者によって把持される把持部とされ、他端近傍部分が基材保持部とされた操作棒と、
上記基材保持部の周囲を緊密に巻回する状態に配置されたコイルばねと、
を有する化粧用器具において、
操作棒に、コイルばねの一端に当接する当接部が設けられ、
コイルばねの他端と向かい合う位置において操作棒の少なくとも一部の周囲に、該操作棒に沿って螺進退自在とされ、コイルばねを上記当接部に押し付けて圧縮可能な管状部材が配設されている、
ことを特徴とするものである。
【００１７】
この本発明による第２の化粧用器具において、上記基材保持部は例えば円柱状のものとされる。
【発明の効果】
【００１８】
本発明による第１の化粧用器具においては、基材の内側に有る基材保持部の少なくとも一部の外周面に溝部が刻設されているので、基材保持部と基材とによって保持される（詳しくは基材保持部と基材との間、あるいは基材の線材同士間の空間に保持される）液体化粧料が、この溝部の中にも導入されるようになる。そこでこの第１の化粧用器具によれば、十分な量の液体化粧料を保持可能となる。しかも液体化粧料の保持は、単に上記空間を利用するのではなく、溝部の中に液体化粧料を導入してなされるので、液体化粧料が確実に保持されるようになる。
【００１９】
一方、本発明による第２の化粧用器具においては、基材保持部の周囲を巻回するコイルばねの一端に当接する当接部が設けられ、また、コイルばねの他端と向かい合う位置に、コイルばねを上記当接部に押し付けて圧縮可能な管状部材が設けられているので、この管状部材を操作してコイルばねの圧縮の程度を変えることができる。こうして、この第２の化粧用器具によれば、コイルばねの圧縮の程度、すなわちコイルばねを構成する線材同士の間の距離を変えることができるので、この線材同士の間に保持される液体化粧料の量を調節可能となる。また、コイルばねを構成する線材同士の間の距離を変えることにより、このコイルばねを利用して睫毛を梳く際に、梳きの効果を強くしたり弱くしたり調節することも可能となる。
【図面の簡単な説明】
【００２０】
【図１】本発明の一実施形態による化粧用器具を示す分解斜視図
【図２】図１の化粧用器具が適用されたマスカラ容器を示す一部破断側面図
【図３】上記化粧用器具が使用される様子を示す概略図
【図４】図１の化粧用器具の一部を拡大して示す側面図
【図５】上記化粧用器具の図２とは異なる状態を示す一部破断側面図
【図６】本発明の化粧用器具における基材の別の例を示す斜視図
【図７】本発明の化粧用器具における基材のさらに別の例を示す斜視図
【図８】本発明の化粧用器具における基材のさらに別の例を示す斜視図
【図９】本発明の化粧用器具における基材のさらに別の例を示す斜視図
【図１０】本発明の化粧用器具における基材のさらに別の例を示す斜視図
【図１１】本発明の化粧用器具における基材保持部の別の例を示す斜視図
【図１２】本発明の化粧用器具における基材保持部のさらに別の例を示す斜視図
【発明を実施するための形態】
【００２１】
以下、図面を参照して本発明の実施形態について説明する。図１は、本発明の一実施形態による化粧用器具１０を分解して示す斜視図であり、図２はこの化粧用器具１０が適用されたマスカラ容器２０を一部破断して示す側面図である。この化粧用器具１０は基本的に、棒状に形成された操作棒１と、この操作棒１に保持された基材としてのコイルばね５とから構成されている。
【００２２】
操作棒１は、一例として円管状に形成された把持部２と、この把持部２の外径よりもやや小さい外径とされた概略円柱状の基材保持部３とからなる。把持部２は操作棒１の一端近傍部分を構成し、基材保持部３は操作棒１の他端近傍部分を構成している。基材保持部３の図１中の上端部には、該基材保持部３の長手方向に延びる雄ねじ３ａが設けられている。また基材保持部３の外周面には、周方向に延びて該基材保持部３の長さ方向に繰り返す溝部３ｂが刻設されている。この溝部３ｂは、一例として螺旋溝から構成されている。
【００２３】
一方把持部２の図１中の下端部においてその内周面には、上記雄ねじ３ａと螺合する雌ねじ２ａが設けられている。基材保持部３はその雄ねじ３ａを上記雌ねじ２ａと螺合させることにより、把持部２と同軸に一体化される。こうして基材保持部３は、円管状の把持部２の中で螺進退自在となっている。基材保持部３の雄ねじ３ａ以外の部分は、この雄ねじ３ａよりも小径とされている。そこで、基材保持部３を把持部２の内部奥方に向けて螺進させた際には、基材保持部３の雄ねじ３ａ以外の部分も把持部２の中まで進入可能となっている。
【００２４】
基材保持部３の図１中の下端には、該基材保持部３よりも大径とされた、一例として薄い円柱状の当接部４が一体的に設けられている。以上述べた把持部２、基材保持部３および当接部４は、例えば合成樹脂から形成されるが、合成樹脂以外の材料から形成されてもよい。
【００２５】
基材保持部３の周囲にはコイルばね５が配され、この状態としてから、上述のようにして基材保持部３と把持部２とが一体化される。コイルばね５は一般的なものと同様に、鋼線等の線材５ａがコイル状に巻回されてなるものである。そこでこのコイルばね５が基材保持部３の周囲に配された状態では、環状の線材５ａが基材保持部３の周囲に緊密に（つまり基材保持部３と接触するか、あるいは微小間隙をおいて離れて）存在し、該基材保持部３の長さ方向に沿って互いに間隔を置いて繰り返す状態となる。なお本実施形態では、コイルばね５を構成する線材５ａは基本的に、基材保持部３の長さ方向に沿って互いに等間隔を置いて繰り返している。
【００２６】
基材保持部３と把持部２とが一体化された状態では、コイルばね５の一端つまり図１中の下端は当接部４に当接し、他端つまり図１中の上端は把持部２に当接する。こうしてコイルばね５は、把持部２と当接部４との間において圧縮状態で操作棒１に保持される。そして、例えば当接部４を指で把持して基材保持部３を軸周りに回転させ、該基材保持部３を把持部２に対して螺進退させると、把持部２と当接部４との間で保持されているコイルばね５の圧縮状態すなわちその全長が変化する。
【００２７】
以上述べた化粧用器具１０は、例えば図２に示すマスカラ容器２０と組み合わせて用いられる。マスカラ容器２０は、マスカラ液Ｍを貯留する容器本体２１と、この容器本体２１に被着されてその上部開口を閉じるキャップ２２とから構成されている。容器本体２１およびキャップ２２は、概略有底の円筒状に形成されている。容器本体２１の上部には外周面に雄ねじ部２３を有する口元部２４が形成され、この口元部２４の径方向内側には、概略円筒状のシゴキ２５が取り付けられている。一方、キャップ２２の開放側の端部には、上記雄ねじ部２３に螺合する雌ねじ部２６が形成され、この雌ねじ部２６の奥方（図２中の上方）においてキャップ２２の内部には、操作棒固定部２７が嵌合固定されている。
【００２８】
化粧用器具１０は、図２に示すように、キャップ２２の操作棒固定部２７に固定された状態で使用に供される。この化粧用器具１０の固定は、より詳しくは、操作棒１の把持部２の一部を操作棒固定部２７の中に固定することによってなされている。図２に示すように、容器本体２１にキャップ２２が螺合されて容器本体２１が閉じられた状態では、化粧用器具１０のコイルばね５が保持されている部分が、マスカラ液Ｍの中に浸漬された状態となる。それにより、コイルばね５の線材５ａ同士の間に、あるいは各線材５ａと基材保持部３の表面との間に、マスカラ液Ｍが保持されるようになる。
【００２９】
マスカラ液Ｍを睫毛に塗布する際には、容器本体２１からキャップ２２が取り外され、このキャップ２２が図３に示すように使用者の手３０によって把持される。そして、キャップ２２に固定されている化粧用器具１０を、そのコイルばね５で睫毛３１を梳くように操作することにより、上述のようにして化粧用器具１０に保持されているマスカラ液Ｍが睫毛３１に塗布される。なお、容器本体２１からキャップ２２が取り外される際、コイルばね５がシゴキ２５の内方を通過すると、コイルばね５の外側に付着していた余分な量のマスカラ液Ｍがシゴキ２５によって拭い取られる。
【００３０】
以上の説明から明らかなように本実施形態では、操作棒１の把持部２の一部が使用者の手３０により、キャップ２２を介して間接的に把持されている。本発明では、こうして把持部２が間接的に把持される場合も、また把持部２が直接的に把持される場合も、同様に「把持部が使用者によって把持される」と見做すものとする。化粧用器具１０は特にマスカラ容器２０のキャップ２２と組み合わせることなく、単独で用いることも可能であり、その場合は化粧用器具１０の操作棒１の把持部２が、使用者の手によって直接的に把持されることになる。
【００３１】
本実施形態においては、基材保持部３の外周面に前述した通りの溝部３ｂが刻設されているので、該基材保持部３とコイルばね５との間ではこの溝部３ｂにもマスカラ液Ｍが導入されて、十分な量のマスカラ液Ｍが確実に保持されるようになる。図４は、基材保持部３およびコイルばね５の一部の側面形状を拡大して示すものである。ここに示される通り本実施形態では、螺旋溝である溝部３ｂの巻方向は、コイルばね５の線材５ａの巻方向と逆向きとされている。マスカラ液Ｍ等の液体化粧料の保持量を多く確保する上では、溝部３ｂとコイルばね５の線材５ａの各巻方向をこのように互いに逆向きとしておくのが望ましいが、それに限らず、両者の各巻方向は互いに同じ向きとされても構わない。
【００３２】
図５には、図２に示す状態にある化粧用器具１０を、この状態下と比べて、把持部２と当接部４との間の距離がより短くなるように変化させた状態を示している。このように上記距離を変化させるには、キャップ２２を容器本体２１から取り外した後、例えばキャップ２２を一方の手の指で把持し、別の手の指で把持した当接部４を回して、基材保持部３を把持部２の内部奥方（図２中の上方）に入り込むように螺進させる操作を行えばよい。この操作後の図５の状態では、図２の状態と比べて、コイルばね５の線材５ａ同士の間隔がより短くなっている。そこで図５の状態では、図２の状態と比べて、線材５ａ同士の間に保持されるマスカラ液Ｍの量がより少なくなる。また、コイルばね５による梳きの効果は、より強いものとなる。
【００３３】
なお、化粧用器具１０に保持させるマスカラ液Ｍ等の液体化粧料の量や、コイルばね５による梳きの効果を調節可能としなくてもよい場合は、把持部２と当接部４との間の距離は固定として、コイルばね５の線材５ａ同士間の距離を変更不可能としてもよい。そして、そのようにコイルばねの線材同士間の距離を変更不可能とする場合でも、さらには、変更可能とする場合でも、この距離が互いに異なる部分を複数設けておいて、必要に応じてそれらの部分から一つを選択使用できるようにコイルばねを構成するのが望ましい。
【００３４】
図６および図７は、そのように構成されたコイルばねの例を概略的に示している。なおこれらの図において、先に説明した図１〜図５中のものと同等の要素には同番号を付してあり、それらについての説明は、特に必要の無い限り省略する（以下、同様）。図６に示す例のコイルばね３５では、コイルばね線材３５ａ同士間の距離が、当接部４と接する側のばね領域つまり図中の下半分領域では比較的短く、そして把持部２と接する側のばね領域つまり図中の上半分領域では比較的長く設定されている。このようなコイルばね３５が適用された際に、線材３５ａ同士の間に保持される液体化粧料の量を比較的少なくし、また、コイルばね３５による睫毛の梳きの効果を比較的強くしたい場合は、コイルばね３５の図中下半分領域を使用すればよい。それに対して、線材３５ａ同士の間に保持される液体化粧料の量を比較的多くし、また、コイルばね３５による睫毛の梳きの効果を比較的弱くしたい場合は、コイルばね３５の図中上半分領域を使用すればよい。
【００３５】
一方、図７に示す例のコイルばね４５では、コイルばね線材４５ａ同士間の距離が、コイルばね４５の軸周りの半周領域単位で変えられている。すなわち本例では、上記距離が、コイルばね４５の図中右半分領域では比較的短く、そしてコイルばね４５の図中左半分領域では比較的長く設定されている。このようなコイルばね４５は、図中右半分領域ではコイルばね線材４５ａを半周だけ巻回して折り返すことを２回続けて行い、次いで普通にコイルばね線材４５ａを一周巻回する、という工程を繰り返して形成することができる。
【００３６】
上述のようなコイルばね４５が適用された際に、線材４５ａ同士の間に保持される液体化粧料の量を比較的少なくし、また、コイルばね４５による睫毛の梳きの効果を比較的強くしたい場合は、コイルばね４５の図中右半分領域を使用すればよい。それに対して、線材４５ａ同士の間に保持される液体化粧料の量を比較的多くし、また、コイルばね４５による睫毛の梳きの効果を比較的弱くしたい場合は、コイルばね４５の図中左半分領域を使用すればよい。
【００３７】
なお、以上述べた通りのコイルばね５、３５あるいは４５が基材として用いられて、それらのコイルばねが円管状の把持部２によって圧縮可能とされる場合は、基材保持部３に溝部３ｂは特に設けなくても構わない。
【００３８】
また、基材保持部３の周囲に配置されてなる基材としては、コイルばね以外の基材も適用可能である。図８〜図１０は、そのような基材の例を概略的に示している。図８に示す基材５０は、各々環状に形成された線材５１が複数、互いに間隔を置いて一定ピッチで配設され、そしてそれらの環状線材５１が例えば４本の直線状の連結部材５２により連結されてなるものである。これらの環状線材５１および連結部材５２は、例えば金属や合成樹脂等からなる細い円柱状部材や薄い板状部材を用いて形成することができる。なお同図では煩雑化を避けるために、４本の連結部材５２は２本だけ図示し、また基材保持部３は途中で分断した状態で示している。この種の基材５０を用いる場合も、環状線材５１と連結部材５２の外周面とで囲まれた空間に液体化粧料を保持することができ、また、環状線材５１同士の間の空間を利用して睫毛を梳くこともできる。
【００３９】
図９に示す基材５５は、図８に示した基材５０と対比すると、複数配設される環状線材５１の配設ピッチが、それらの並び方向内で一定ではない点で相違するものである。すなわち本例の基材５５では、環状線材５１同士間の距離が、当接部４と接する側の基材領域つまり図中の下半分領域では比較的短く、そして把持部２と接する側の基材領域つまり図中の上半分領域では比較的長く設定されている。このような基材５５が適用された際に、環状線材５１同士の間に保持される液体化粧料の量を比較的少なくし、また、環状線材５１による睫毛の梳きの効果を比較的強くしたい場合は、基材５５の図中下半分領域を使用すればよい。それに対して、環状線材５１同士の間に保持される液体化粧料の量を比較的多くし、また、環状線材５１による睫毛の梳きの効果を比較的弱くしたい場合は、基材５５の図中上半分領域を使用すればよい。
【００４０】
図１０に示す基材５７は、図８に示した基材５０と対比すると、複数配設される環状線材５１の配設ピッチが、それらの径方向内で一定ではない点で相違するものである。すなわち本例の基材５７では、全周に亘って延びる環状線材５１同士の間にそれぞれ、半周だけ延びる「Ｃ」字状の環状線材５１が配設されている。この「Ｃ」字状の環状線材５１は、図中左側が開いた状態となるように配されている。したがって本例では環状線材５１同士の間の距離が、基材５７の図中右半分領域では比較的短く、そして基材５７の図中左半分領域では比較的長く設定されている。
【００４１】
このような基材５７が適用された際に、環状線材５１同士の間に保持される液体化粧料の量を比較的少なくし、また、環状線材５１による睫毛の梳きの効果を比較的強くしたい場合は、基材５７の図中右半分領域を使用すればよい。それに対して、環状線材５１同士の間に保持される液体化粧料の量を比較的多くし、また、環状線材５１による睫毛の梳きの効果を比較的弱くしたい場合は、基材５７の図中左半分領域を使用すればよい。
【００４２】
なお、以上述べた通りの基材５０、５５あるいは５７が用いられて、それらを構成する環状線材５１同士の間の距離が変更不可能とされる場合、基材保持部３には必ず溝部３ｂが刻設される。
【００４３】
先に図４を参照して説明した通り、基材保持部３に刻設された複数の溝部３ｂは全て同一ピッチで規則的に基材保持部３の長さ方向に繰り返すものであるが、本発明の化粧用器具においてはそれ以外の形態の溝部が適用されてもよい。例えば図１１に示す基材保持部６３においては、その外周面上に刻設された螺旋溝からなる溝部６３ｂが、当接部４と接する側の溝部領域つまり図中の下半分領域では比較的短い間隔で、それよりも上側の溝部領域つまり図中の上半分領域では比較的長い間隔で刻設されている。このような溝部６３ｂを有する基材保持部６３が適用された際に、溝部６３ｂに導入、保持される液体化粧料の量を比較的多くしたい場合は、基材保持部６３の図中下半分領域の周囲に配置されている基材を使用すればよい。それに対して、溝部６３ｂに導入、保持される液体化粧料の量を比較的少なくしたい場合は、基材保持部６３の図中上半分領域の周囲に配置されている基材を使用すればよい。
【００４４】
また、図１２に示す基材保持部７３においては、その外周面上に刻設された溝部７３ｂが、不規則なモザイク状のパターンに形成されている。このような基材保持部７３を有する化粧用器具を用いる際には、該基材保持部７３の周囲に配置されている基材を短時間だけ液体化粧料中に浸漬して直ぐ液体化粧料の塗布に供するような場合でも、液体化粧料を満遍なく溝部７３ｂに導入、保持できるという効果が得られる。
【符号の説明】
【００４５】
１    操作棒
２    把持部
２ａ  把持部の雌ねじ
３、６３、７３    基材保持部
３ａ  基材保持部の雄ねじ
３ｂ、６３ｂ、７３ｂ  基材保持部の溝部
４    当接部
５、３５、４５    コイルばね
５ａ、３５ａ、４５ａ  コイルばねの線材
１０  化粧用器具
２０  マスカラ容器
５０、５５、５７    基材
５１    環状部材
５２    連結部材
Ｍ    マスカラ液
【図１】
2020188894.tif 000003
【図２】
2020188894.tif 000004
【図３】
2020188894.tif 000005
【図４】
2020188894.tif 000006
【図５】
2020188894.tif 000007
【図６】
2020188894.tif 000008
【図７】
2020188894.tif 000009
【図８】
2020188894.tif 000010
【図９】
2020188894.tif 000011
【図１０】
2020188894.tif 000012
【図１１】
2020188894.tif 000013
【図１２】
2020188894.tif 000014